(57)【要約】      （修正有）【課題】穴を形成した把手を設けると共に長いノズルを延設した内袋を段ボール箱に挿入し、内外フラップの重合部に設けた穴からノズルを引き出して袋内の流動性充填物を分配するようにしたバッグインボックスにおいて、袋に揺れが生じてもノズルが移動しないようにすること。【解決手段】内フラップ２、３の周縁部に内袋の把手を係止させる係止部５を設ける。【選択図】  図１
2007076685.tif 000002
【特許請求の範囲】
【請求項１】
穴を形成した把手を設けると共に長いノズルを延設した内袋を段ボール箱に挿入し、内外フラップの重合部に設けた穴からノズルを引き出して袋内の流動性充填物を分配するようにしたバッグインボックスにおいて、内フラップの周縁部に内袋の把手を係止させる係止部を設けたバッグインボックス。
【請求項２】
ノズルの引き出し穴を前後の内フラップの間に跨がって形成した請求項１に記載のバッグインボックス。
【請求項３】
引き出し穴をフラップの左右いずれかの端部側に形成し、開口縁とフラップの端縁との間を把手の係止部とした請求項２に記載のバッグインボックス。
【発明の詳細な説明】
【技術分野】
【０００１】
本発明は、穴を形成した把手を設けると共に長いノズルを延設した内袋を段ボール箱に挿入し、内外フラップの重合部に設けた穴からノズルを引き出して袋内の流動性充填物を分配するようにしたバッグインボックスに関するものである。
【背景技術】
【０００２】
この種のバッグインボックスについては、特許文献１に開示されたものが公知となっている。
ここには、平面状シートの間に一又は二枚のシートを折り畳んで介在させ、一部のシール部を外側に延在するようにシートの端部同志をヒートシールしてガゼット折りした袋となし、シール部に穴を形成して把手とした内袋が開示されている。この袋に流動性の充填物を充填した後、把手の穴に指を引っ掛けて袋を持ち運び、段ボールなどの外箱に収納するようにしている。
この把手の穴は、袋の持ち運びや外箱への挿脱には利便性が高いと言える。
【０００３】
しかしながら、これを外箱のフラップにノズル引き出し穴を形成した従来型の外箱に収納し、その穴からノズルを引き出して袋を外箱に入れたまま流動性充填物を分配させようとすると、新たに次の問題が発生した。
従来型の外箱においては、外フラップに破断を容易にした状態で蓋を設けると共にその内側のフラップにノズル引き出し用の穴が形成してあり、外フラップの蓋を破断除去することにヨッテ、ノズルを容易に引き出せるようになっている。
しかしながら、バッグインボックスを移動時させたり搬送時したりする際に充填物の揺れによって内袋自身が動いてしまい、袋の上面と内フラップの内側との間にわずかの空隙があることも手伝って、ノズルが移動が内フラップの引き出し穴の位置から外れてしまう事態が発生し、外フラップの蓋を破断除去してもノズルを引き出せない場合があった。
そうすると、一旦内外両フラップを開けて袋の位置を調整してノズルを正位置に戻する作業を余儀なくされることになる。
【特許文献１】特開2003-40288号公報
【発明の開示】
【発明が解決しようとする課題】
【０００４】
本発明は、穴を形成した把手を設けると共に長いノズルを延設した内袋を段ボール箱に挿入し、内外フラップの重合部に設けた穴からノズルを引き出して袋内の流動性充填物を分配するようにしたバッグインボックスにおいて、袋に揺れが生じてもノズルが移動しないようにすることを課題としたものである。
【課題を解決するための手段】
【０００５】
この技術的課題を解決するための技術的手段は、内フラップの周縁部に内袋の把手を係止させる係止部を設けたこと、である。
第二の技術的手段は、ノズルの引き出し穴を前後の内フラップの間に跨がって形成したことであり、第三の技術的手段は、この引き出し穴をフラップの左右いずれかの端部側に形成し、開口縁とフラップの端縁との間を把手の係止部としたことである。
【０００６】
内袋の把手には穴が形成されているから、内フラップの周縁部に設けられている係止部にこれを係止させることができる。そのため、バッグインボックスを持ち運ぶ際に充填物が揺れても、内袋がフラップに支持されてその移動が抑制され、ノズルが移動することはない。
また、充填物の分配を断続的に行なう際にはノズルをクリップ等を用いて閉塞することになるが、内袋に残留している充填物の量が減っても、把手によって内袋が支持されているために内袋の上面はほとんど落ち込まないため、外箱内にノズルを収容させてもノズルが移動してしまうこともない。
【０００７】
係止部は、内フラップにスリットを形成したり、引き出し穴の開口縁とフラップ端縁とを利用して形成することができる。スリットやフラップ端縁に適宜屈曲部を形成して把手が抜けにくくしておくことが望ましい。
なお、内袋を形成するための素材は公知のものが使用される。
【０００８】
ノズルの引き出し穴を前後の内フラップの間に跨がって形成すると、円弧状の開口縁を利用して把手の係止部を形成することができ、把手をノズルに近接して係止させることができ、ノズルの移動をより確実に防止することができる。
この引き出し穴をフラップの左右いずれかの端部側に形成すると、開口縁とフラップの端縁との間を把手の係止部としてそのまま利用することができることができる。
【発明の効果】
【０００９】
袋に揺れが生じてもノズルが移動しない結果、開封時のノズルの引き出しを確実に行うことができる。
そのため、充填物を分配する際に必要なノズルの長さを必要最小限度にしておいても、分配に支障が生じることもない。
【実施例１】
【００１０】
図１は段ボール製の外箱１、図２は内袋１１の斜視図である。
この外箱１は、前後の内フラップ２、３の右端側に、両フラップに跨がってノズルの引き出し穴４を形成した例を示している。閉じた際にこの穴４に重合するように、右の外フラップにミシン目７によって破断容易に形成された蓋８を設けている。
【００１１】
内袋１１は、上面中央に断面方形のノズル１２を延設すると共に、その左右に袋のシール部を利用して把手１３、１３を突出させている。なお、特許文献１に示されているような、複数のシートの側縁を溶着シールさせて袋を形成する場合には、そのシール部を把手として利用することができる。
ノズル１２は、内袋１１ないに流動性の充填物、例えば水、ジュース、調味料、接着剤などを充填した後に溶着、クリップ止めなどによって密封されることになる。
また、把手１３には、指を引っ掛けるための穴１４が形成してあって、充填物を充填した後に移動させたり、外箱１に収納したりする際に、これに指を引っ掛けて内袋１１を持ち上げられるようにしている。
【００１２】
外箱１の内フラップ２、３の右端には、穴４の開口縁との間に穴１４を利用して把手１３を係止させるための係止部５、５を形成している。この係止部５は、先端部を丸く形成して内袋に当接しても袋を突き破らないようにしている。また、フラップ２、３の側縁側に凹部６、６を形成していて、係止させた把手１３の穴がこれに引っかかって容易に外れないようにしている。
【００１３】
なお符号９は、ノズル１２の側壁を挟み込むためのスリットで、これを挟み込むことによって、その突出状態を安定させることができる。内袋１１内の充填物が減って袋の上面が落ち込もうとしても、ノズルを支持して突出状態を維持させられる利点がある。
このスリット８は、若干屈曲（本実施例ではＳ字状に形成している）させることによってノズル１２を脱けにくくしている。
【００１４】
本実施例においては、内袋のノズル１２及び把手１３を袋の上面中央に形成しているが、外箱の設計に合わせて、引き出し穴や係止部の位置に対応させるようにしてもよい。
【図面の簡単な説明】
【００１５】
【図１】外箱の斜視図
【図２】内袋の斜視図
【符号の説明】
【００１６】
１外箱、  ２、３内フラップ、  ４ノズル引き出し用の穴、  ５把手図係止部、  ６凹部、  ７ミシン目、  ８外フラップのノズル引き出し用の穴の蓋、  ９ノズル挟み込み用スリット、  11、 内袋、  12断面方形のノズル、  13把手、  14指引っ掛け用の穴
【図１】
2007076685.tif 000003
【図２】
2007076685.tif 000004